(57)【要約】【課題】発光部あるいは照明装置全体を移動しなくても、ファンの向きを変更することができるファン付き照明装置を提供する。【解決手段】中心軸線が通過する中心部を有するベース本体と、ベース本体の周縁部から延伸するフレームとを有するベース１と、中心部を覆わないようにフレームに固定される発光モジュール２と、中心軸線が通過するよう、ベース本体に固定される固定部と、固定部に対して回転することができるように配置される環状の回転本体と、回転本体から突起する接続アームと、回転本体を駆動して回転させる第１の駆動手段と、を有する回転手段３と、一端が接続アームに固定される軸棒と、軸棒により回転自在に挿通されて、回転手段３に取り付けられている支持本体と、支持本体を駆動して軸棒の延伸方向を回転軸として回転させる第２の駆動手段と、を有する支持手段４と、支持本体に配置されるファンモジュール５と、を具える。【選択図】図４
0003224218.tif 000002
【実用新案登録請求の範囲】
【請求項１】
所定の中心軸線が通過する中心部及び前記中心部の外周から前記中心軸線の外側へ張り出す周縁部を有するベース本体と、前記ベース本体の前記周縁部から前記中心軸線の延伸方向上の一側である吹き出し側へ向かって延伸するフレームと、を有するベースと、
前記ベース本体の前記吹き出し側において、前記中心部を覆わないように前記フレームに固定される発光モジュールと、
前記中心軸線が通過するよう、前記ベース本体の前記中心部に固定される固定部と、前記中心軸線を回転軸として前記固定部に対して回転することができるように配置される環状の回転本体と、前記回転本体から前記吹き出し側へ突起する接続アームと、前記回転本体を駆動して前記中心軸線を回転軸として前記固定部に対して回転させる第１の駆動手段と、を有する回転手段と、
一端が前記接続アームに固定されて該接続アームから延伸する軸棒と、前記軸棒により回転自在に挿通されて前記回転本体と共に前記中心軸線を回転軸として前記固定部に対して回転するように、前記回転手段の前記吹き出し側に取り付けられていると共に、前記回転手段に面する裏面と前記裏面の反対側である表面を有する支持本体と、前記支持本体を駆動して前記軸棒の延伸方向を回転軸とする回動により、前記回転手段に対する前記支持本体の傾きを変更する第２の駆動手段と、を有する支持手段と、
前記支持本体の前記表面に配置されるファンモジュールと、を具え、
前記支持本体は、前記回転本体の回転に連動して回転し、
前記ファンモジュールは、前記支持本体の動作に連動して回転し、前記回転手段に対する前記ファンモジュールの傾きを変更することを特徴とするファン付き照明装置。
【請求項２】
前記接続アームから延伸する前記軸棒は、前記固定部の前記吹き出し側において前記中心軸線と直交する所定の第２の軸線に沿って延伸するように配置構成されることを特徴とする請求項１に記載のファン付き照明装置。
【請求項３】
前記支持本体の前記裏面は、前記軸棒により貫通される中央部と、前記中央部から前記第２の軸線の両側へそれぞれ延伸する２つの側面部とを有し、
前記中央部は、前記回転手段に向かって突起する第１の弧状面を有するように形成されており、
２つの前記側面部は、前記中央部の前記第１の弧状面と連続し、且つ、前記中央部から離れていくにつれて前記回転手段との距離が長くなる第２の弧状面をそれぞれ有するように形成されていることを特徴とする請求項２に記載のファン付き照明装置。
【請求項４】
前記回転手段は、前記ベースから離れる方向へ延伸し、前記第２の軸線によりそれぞれ通過される前記接続アームを２つ有し、
前記支持本体は、２つの前記接続アームの間に位置し、
更に、前記支持手段は、２つの前記接続アームからそれぞれ延伸して前記支持本体を回転自在に挿通する２つの前記軸棒を有することを特徴とする請求項２又は請求項３に記載のファン付き照明装置。
【請求項５】
前記固定部は、前記回転本体と隣接する位置において、中心に前記中心軸線が通過し、前記ベース本体に固定される環状体と、前記環状体の外周縁に配置されるギア構造と、を更に有し、
前記回転本体は、環状に形成されて該環状の内側に臨む内輪及び該環状の外側に臨む外輪を有し、前記内輪が前記固定部の外周縁を囲むように配置される玉軸受けと、前記玉軸受けの前記外輪を囲むように環状に形成配置されて、前記玉軸受けを収容する軸受け収容スペースと、前記固定部の前記ギア構造に隣接する第２の収容スペースとを画成するように形成される回転部と、を有し、
前記第１の駆動手段は、前記回転部の前記第２の収容スペース内に配置される第１のモーターと、前記第１のモーターに配置され、前記第１のモーターの駆動力を出力する第１の出力軸と共に回転し、前記固定部の前記ギア構造と噛み合う第１のギアと、を有し、
前記第１のモーターに駆動される前記第１のギアが回転すると、前記第１のギアと噛み合う前記環状体の前記ギア構造が前記ベース本体に固定されて相対的に不動になっているため、前記第１のモーターの回転により、前記第１のモーター及び前記回転本体が連動して前記中心軸線を回転軸として回転することを特徴とする請求項１〜請求項４のいずれか１項に記載のファン付き照明装置。
【請求項６】
前記支持本体は、第３の収容スペースを内側に画成するように形成され、
前記軸棒は、前記接続アームと接続する固定端と、前記支持本体の前記第３の収容スペース内に挿し込む係合端と、前記係合端に固定される第３のギアと、を有し、
前記第２の駆動手段は、前記支持本体の前記第３の収容スペース内に配置される第２のモーターと、前記第２のモーターに配置され、前記第２のモーターの駆動力を出力する第２の出力軸と共に回転すると共に、前記軸棒の前記第３のギアと噛み合う第２のギアと、を有し、
前記第２のモーターに駆動される前記第２のギアが回転すると、前記第２のギアと噛み合う前記第３のギアが前記回転本体に接続して相対的に不動になっているため、前記第２のモーターの回転により、前記第２のモーター及び前記支持本体が連動して前記軸棒に対して回転することを特徴とする請求項１〜請求項５のいずれか１項に記載のファン付き照明装置。
【考案の詳細な説明】
【技術分野】
【０００１】
本考案は、照明装置に関し、詳しくは天井に取り付けられるファン付き照明装置に関する。
【背景技術】
【０００２】
従来の天井に取り付けられるファンとライトの組み合わせ（シーリングファンライト）において、通常はファンがライトの上方（天井側）に位置している。また、一般的なシーリングファンライトは、ファンの長さが長く、ファンはライトの外側まで延伸しており、このため照明装置が全体として大きくならざるを得ず、更にファンが外側に突出しているので運搬に不便なだけでなく、天井への取り付けも手間がかかるという問題がある。
【０００３】
上述のような問題を解決するために、特許文献１に記載されるように、センターボディと、前記センターボディに接続され、且つ、前記センターボディの周囲から外側へ放射状に延伸するバックフレームと、前記バックフレームで囲まれる範囲内において前記センターボディに固定されるファンモジュールと、前記バックフレームに前記ファンモジュールを覆わないように取り付けられている発光モジュールと、を具える照明装置が提案されている。
【先行技術文献】
【特許文献】
【０００４】
【特許文献１】中国実用新案第２０６８７５２６９号明細書
【考案の概要】
【考案が解決しようとする課題】
【０００５】
特許文献１に記載の照明装置においては、発光モジュールがセンターボディに固定されるバックフレームに取り付けられていると共に、ファンモジュールがセンターボディに固定される。そのため、上記照明装置は、ファンモジュールの発光モジュールに対する傾きを変更することはできず、照明装置が向かっている方向にのみ送風可能である。
【０００６】
そこで、本考案の目的は、使用者の需要に応じて、発光モジュールあるいは照明装置全体を移動しなくても、ファンモジュールの向きを変更することができるファン付き照明装置を提供することにある。
【課題を解決するための手段】
【０００７】
前記目的を達成するための手段として、本考案は、以下のファン付き照明装置を提供する。
【０００８】
即ち、所定の中心軸線が通過する中心部及び前記中心部の外周から前記中心軸線の外側へ張り出す周縁部を有するベース本体と、前記ベース本体の前記周縁部から前記中心軸線の延伸方向上の一側である吹き出し側へ向かって延伸するフレームと、を有するベースと、前記ベース本体の前記吹き出し側において、前記中心部を覆わないように前記フレームに固定される発光モジュールと、前記中心軸線が通過するよう、前記ベース本体の前記中心部に固定される固定部と、前記中心軸線を回転軸として前記固定部に対して回転することができるように配置される環状な回転本体と、前記回転本体から前記吹き出し側へ突起する接続アームと、前記回転本体を駆動して前記中心軸線を回転軸として前記固定部に対して回転させる第１の駆動手段と、を有する回転手段と、一端が前記接続アームに固定されて該接続アームから延伸する軸棒と、前記軸棒により回転自在に挿通されて前記回転本体と共に前記中心軸線を回転軸として前記固定部に対して回転するように、前記回転手段の前記吹き出し側に取り付けられていると共に、前記回転手段に面する裏面と前記裏面の反対側である表面を有する支持本体と、前記支持本体を駆動して前記軸棒の延伸方向を回転軸とする回動により、前記回転手段に対する前記支持本体の傾きを変更する第２の駆動手段と、を有する支持手段と、前記支持本体の前記表面に配置されるファンモジュールと、を具え、前記支持本体は、前記回転本体の回転に連動して回転し、前記ファンモジュールは、前記支持本体の動作に連動して回転し、前記回転手段に対する前記ファンモジュールの傾きを変更することを特徴とするファン付き照明装置を提供する。
【考案の効果】
【０００９】
本考案によれば、前記ファンモジュールは、前記回転本体の回転に連動して前記支持本体が共に回転し、更に、前記支持本体が前記軸棒の延伸方向を回転軸として回転すると、前記支持本体の前記回転本体に対する傾きが変化することに連動して前記回転本体に対する前記ファンモジュールの傾きが変わる。また、前記発光モジュールは、前記フレームを介して前記ベースに固定されて相対的に不動になっている。
【００１０】
これによって、本考案に係るファン付き照明装置は、発光モジュールを移動しなくても、ファンモジュールが向いている方向を変更することができる。
【図面の簡単な説明】
【００１１】
【図１】本考案に係るファン付き照明装置の実施形態を示す正面斜視図である。
【図２】前記実施形態を示す背面斜視図である。
【図３】前記実施形態を示す側面図である。
【図４】前記実施形態において、ファンモジュールの向きが変わった状態を示す側面図である。
【図５】前記実施形態を示す斜視分解図である。
【図６】前記実施形態の一部を示す斜視分解図である。
【図７】前記実施形態の回転手段を示す斜視分解図である。
【図８】前記実施形態の支持手段とファンモジュールの一部を示す斜視分解図である。
【図９】前記実施形態の支持手段を示す側面図である。
【図１０】前記実施形態のファンモジュールを示す斜視分解図である。
【図１１】前記実施形態の回路を示すブロック図である。
【図１２】前記実施形態を示す断面図である。
【図１３】前記実施形態において、ファンモジュールの向きが変わった状態を示す断面図である。
【図１４】図３におけるＸIV−ＸIV線の断面図である。
【図１５】前記実施形態において、ファンモジュールの向きが変わった状態を示す側面図である。
【考案を実施するための形態】
【００１２】
以下、図面を参照しながら本考案の具体的な実施形態について詳しく説明する。
【００１３】
図１〜図５に、本考案に係るファン付き照明装置の実施形態が示されている。図示のように、本実施形態のファン付き照明装置は、ベース１と発光モジュール２と回転手段３と支持手段４とファンモジュール５と制御モジュール６とを具える。本実施形態において、本考案に係るファン付き照明装置は、天井に取り付けられているが、別の場所に取り付けられてもよい。
【００１４】
詳しく説明するために、図１のように、互いにそれぞれ直交するＸ方向とＹ方向とＺ方向とからなる空間座標を用いる。なお、ファン付き照明装置が天井に取り付けられる本実施形態において、Ｚ方向は上下方向であり、そのうち、下方に向かう方向（即ちファンの吹き出し側）を−Ｚ方向とする。
【００１５】
図５と図６に、本実施形態のベース１が示されている。図５と図６のように、ベース１は、Ｚ方向に沿って延伸する所定の中心軸線３１１が通過する中心部及び中心部の外周から中心軸線３１１の外側へ張り出す周縁部を有する円盤状なベース本体１１と、互いに同じ間隔を開けて、ベース本体１１の周縁部から−Ｚ方向へ向かって且つ外側に斜めに延伸する３つのフレーム１２と、を有する。また、ベース本体１１は、制御モジュール６が有する後述の制御基板６１を収容する第１の収容スペース１１１が画成されるように形成される。
【００１６】
図６に、本実施形態の発光モジュール２が示されている。図６のように、発光モジュール２は、ベース本体１１の中心部を覆わないようにフレーム１２に固定される環状のライトフレーム２３と、ライトフレーム２３に取り付けられる複数の発光ユニットからなる発光部２１と、透光性材料で形成され、且つ、発光部２１を覆うように環状のライトフレーム２３に取り付けられる環状のライトカバー２２とを有する。また、前記発光ユニットとしては、例えば、本実施形態において、発光ダイオードが使用される。また、発光部２１に電気的に接続される電線がフレーム１２内に収容されることで、電線の破損を防止することができる。
【００１７】
図５と図７に、本実施形態の回転手段３が示されている。図７のように、回転手段３は、円心に中心軸線３１１が通過するよう、ベース本体１１の中心部に固定される円管形の固定部３１と、中心軸線３１１を回転軸として固定部３１に対して回転することができるように配置される環状の回転本体３２と、回転本体３２から−Ｚ方向（即ちベース１から離れる方向）へ突起する２つの接続アーム３２２と、回転本体３２を駆動して中心軸線３１１を回転軸として固定部３１に対して回転させる第１の駆動手段３６と、を有する。また、接続アーム３２２は、Ｙ方向に沿って延伸する第２の軸線３２６によりそれぞれ通過されるように形成される。
【００１８】
固定部３１は、回転本体３２と隣接する位置において、円心に中心軸線３１１が通過し、ベース本体１１に固定される環状体３５と、環状体３５の外周縁３５１に配置されるギア構造３５２と、を更に有する。また、固定部３１は、ベース本体１１の中心部に固定される一端の反対側である他端の外周縁から中心軸線３１１の外側へ張り出す環状の当接部３１２を有し、且つ、固定部３１の内周縁がスリップリング収容スペース３１３を画成するように形成されている。
【００１９】
回転本体３２は、環状に形成されて該環状の内側に臨む内輪３３１及び該環状の外側に臨む外輪３３２を有し、且つ、当接部３１２に当接して内輪３３１が固定部３１の外周縁を囲むように配置される玉軸受け３３と、玉軸受け３３の外輪３３２を囲むように環状に形成配置される回転部３２１と、を有する。回転部３２１は、玉軸受け３３を収容する軸受け収容スペース３２５と、固定部３１のギア構造３５２に隣接する第２の収容スペース３２７とを画成するように形成される。
【００２０】
また、回転本体３２は、両端が回転部３２１に固定され、軸受け収容スペース３２５の上に玉軸受け３３を係止するように配置される固定架３４を更に有する。これによって、固定架３４と当接部３１２とを介して玉軸受け３３が回転中に軸受け収容スペース３２５に保持されることができる。
【００２１】
第１の駆動手段３６は、回転部３２１の第２の収容スペース３２７内に配置される第１のモーター３６２と、第１のモーター３６２に配置され、第１のモーター３６２の駆動力を出力する第１の出力軸３６１と共に回転し、固定部３１のギア構造３５２と噛み合う第１のギア３７と、を有する。
【００２２】
図５と図８と図９に、本実施形態の支持手段４が示されている。図８のように、支持手段４は、一端が２つの接続アーム３２２にそれぞれ固定されて該接続アーム３２２から第２の軸線３２６に沿って延伸する２つの軸棒４２と、回転手段３の−Ｚ方向の側に取り付けられている支持本体４１と、支持本体４１を駆動して第２の軸線３２６を回転軸として回動する第２の駆動手段４３と、を有する。また、支持本体４１は、２つの接続アーム３２２の間に位置し、２つの軸棒４２により回転自在に挿通されることで取り付けられている。
【００２３】
支持本体４１は、中心に孔と、内側に第３の収容スペース４１３と、を画成するように形成される。
【００２４】
２つの軸棒４２は、それぞれ対応する接続アーム３２２と接続する固定端４２１と、支持本体４１の第３の収容スペース４１３内に挿し込む係合端４２２と、係合端４２２に固定される第３のギア４５と、を有する。
【００２５】
固定端４２１は、径方向へ延伸していると共に接続アーム３２２と接続されている。係合端４２２は、同じ間隔を開けて第２の軸線３２６を周るように形成される４つの係合部４２３を有する。
【００２６】
第３のギア４５は、４つの係合部４２３と係合する固接部４５１と、固接部４５１の周囲からＹＺ平面へ延伸して扇形に形成される第３のギア構造４５３と、を有する。
【００２７】
第２の駆動手段４３は、係合端４２２と隣接するように支持本体４１の第３の収容スペース４１３内に配置される第２のモーター４３２と、第２のモーター４３２に配置され、第２のモーター４３２の駆動力を出力する第２の出力軸４３１と共に回転すると共に、軸棒４２の第３のギア構造４５３と噛み合う第２のギア４４と、を有する。
【００２８】
なお、ダストが第３のギア構造４５３と第２のギア４４との噛み合いに影響することを防止するために、ハウジング４６が第２のギア４４と第３のギア４５を覆うように形成される。
【００２９】
また、支持本体４１は、回転手段３に面する裏面４１４と裏面４１４の反対側である表面４１５と、をさらに有する。図９のように、支持本体４１の裏面４１４は、軸棒４２により貫通される中央部４１６と、中央部４１６から＋Ｙ方向と−Ｙ方向へそれぞれ延伸する２つの側面部４１７と、を有する。
【００３０】
図９のように、中央部４１６は、回転手段３に向かって突起する第１の弧状面を有するように形成されており、２つの側面部４１７は、中央部４１６の第１の弧状面と連続し、且つ、中央部４１６から離れていくにつれて回転手段３との距離が長くなる第２の弧状面をそれぞれ有するように形成されている。このような構成とされた支持本体４１の裏面４１４によれば、上述の弧状設計を介して、支持本体４１の回転に影響を与えずに支持本体４１が回転手段３と隣接できると共に、ファン付き照明装置の全体の大きさを縮小することができる。
【００３１】
図５と図８と図１０に、本実施形態のファンモジュール５が示されている。図８と図１０のように、ファンモジュール５は、中心軸線３２６により通過するように支持本体４１の表面４１５側に前記孔を覆うように配置される第３のモーター５１と、両端が表面４１５に固定され、第３のモーター５１の−Ｚ方向の側に取り付けられる係合架５５と、係合架５５に配置される円形のバックフレーム５３と、ブレードがバックフレーム５３で囲まれた範囲内に延伸し、第３のモーター５１に配置されるブレードセット５２と、ブレードセット５２を覆うようにバックフレーム５３に配置されるフロントフレーム５４と、を有する。
【００３２】
また、支持本体４１の前記孔は、半径が第３のモーター５１の半径より小さいように形成される。そのため、第３のモーター５１を係合架５５と表面４１５とで挟むように支持本体４１に固定することができる。さらに、第３のモーター５１は、中心軸線３２６に沿って延伸し、第３のモーター５１の駆動力を出力する第３の出力軸５１１を有する。また、ブレードセット５２は、第３のモーター５１の第３の出力軸５１１と共に回転するように第３の出力軸５１１に配置される。
【００３３】
バックフレーム５３は、第３の出力軸５１１が回転自在に差通されると共に、フレーム１２及びライトフレーム２３で囲まれた範囲内において、係合架５５から−Ｚ方向へ延伸していくにつれて半径が大きくなるように形成される。
【００３４】
図６と図７と図１１に、本実施形態の制御モジュール６が示されている。図６と図７のように、制御モジュール６は、ベース本体１１の第１の収容スペース１１１に収容され、電源に電気的に接続されている制御基板６１と、固定部３１のスリップリング収容スペース３１３に収容され、制御基板６１に電気的に接続されているスリップリング６２と、を有する。
【００３５】
また、本実施形態において、制御基板６１は、発光モジュール２と電気的に接続されている。スリップリング６２は、内環部（図示せず）と、前記内環部に対して回転することができるように配置される外環部（図示せず）と、を有する。前記内環部は、支持手段４とファンモジュール５と電気的に接続されている。前記外環部は、回転手段３と電気的に接続されている。
【００３６】
図３と図１０のように、使用中に、発光部２１を構成する複数の発光ユニットである発光ダイオードが発光することにより生じた光線がライトカバー２２を介して周囲を照らす。また、第３のモーター５１に駆動されるブレードセット５２が第３の出力軸５１１を回転軸として回転することにより、気流が生じる。さらに、気流の流れはブレードセット５２の回転方向によって変更される。例えば、ブレードセット５２が所定の方向へ回転すると、気流が天井から地面に向けて流れるのに対して、ブレードセット５２が所定の方向の逆方向へ回転すると、気流が地面側から天井に向けて流れる。これによって、場合に応じて気流の流れを変更することができる。
【００３７】
図３のように、支持本体４１が水平で地面へ向かっていると共に、第３のモーター５１の第３の出力軸５１１がＺ方向と平行する場合には、ブレードセット５２も地面へ向かっている。そして、図８と図１２のように、第２のギア４４が第３のギア構造４５３と噛み合っているので、第２のモーター４３２に駆動される第２のギア４４が回転すると、第３のギア構造４５３が軸棒４２を介して回転本体３２に接続して相対的に不動になっているため、第２のモーター４３２が回転する。第２のモーター４３２の回転により、第２のモーター４３２及び支持本体４１が連動して、図１３のように、第２の軸線３２６を回転軸として回転する。
【００３８】
つまり、支持本体４１の２つの側面部４１７の一者と回転本体３２との距離が短くなり、他者と回転本体３２との距離が長くなることで、第３の出力軸５１１がＺ方向と平行しなくなると共に、回転手段３に対してブレードセット５２の傾きが変更される。これによって、ブレードセット５２が向いてる方向は、図１３のように、Ｙ方向に傾斜する。
【００３９】
続いて、支持本体４１が傾斜している場合に、更に回転本体３２を駆動して回転させる。具体的にいうと、図７と図１４のように、第１のギア３７が環状体３５のギア構造３５２と噛み合っているので、第１のモーター３６２に駆動される第１のギア３７が回転すると、ギア構造３５２が環状体３５を介してベース本体１１に固定されて相対的に不動になっているため、第１のモーター３６２が回転する。第１のモーター３６２の回転により（例えば、図１４のように、第１のモーター３６２が元の位置から虚線の位置まで９０度回転する。）、第１のモーター３６２及び回転本体３２が連動して中心軸線３１１を回転軸として回転する。そして、支持本体４１が接続アーム３２２を介して回転本体３２の回転につれて中心軸線３１１を回転軸としてＸＹ平面で回転することにより、ブレードセット５２が連動して中心軸線３１１を回転軸としてＸＹ平面で回転する。図１５のように、ブレードセット５２が向いてる方向は、Ｙ方向における傾きからＸ方向における傾きに変更する。
【００４０】
すなわち、支持手段４が傾斜している上に、さらに回転することで、本実施形態は、ファンモジュール５が向いてる方向を多角度で変更することができる。これによって、本実施形態は、ファン付き照明装置が向いてる方向に加えて、別の方向へ送風することができる。
【００４１】
なお、ライトフレーム２３がフレーム１２を介してベース本体１１に固定されるため、ファンモジュール５の回転中、発光モジュール２はベース本体１１に固定されて不動になっている。つまり、本実施形態は、発光モジュール２を移動しなくても、ファンモジュール５が向いてる方向を変更することができる。
【００４２】
以上のような構成とされた本実施形態であるファン付き照明装置によれば、回転本体３２の回転につれて、支持手段４とファンモジュール５が回転する。さらに、支持手段４の傾斜につれて、ファンモジュール５も傾斜する。また、制御モジュール６により、使用者の要求に応じて回転本体３２と支持本体４１との回転角度を制御することができる。
【００４３】
以上、本考案の実施形態であるファン付き照明装置について具体的に説明したが、本考案はこれに限定されることはなく、本考案の技術的思想を逸脱しない範囲で適宜変更可能である。
【産業上の利用可能性】
【００４４】
本考案に係るファン付き照明装置は、ファンと共に用いられる照明装置に対する様々な応用が可能である。
【符号の説明】
【００４５】
１        ベース
１１      ベース本体
１１１    第１の収容スペース
１２      フレーム
２        発光モジュール
２１      発光部
２２      ライトカバー
２３      ライトフレーム
３        回転手段
３１      固定部
３１１    中心軸線
３１２    当接部
３１３    スリップリング収容スペース
３２      回転本体
３２１    回転部
３２２    接続アーム
３２５    軸受け収容スペース
３２６    第２の軸線
３２７    第２の収容スペース
３３      玉軸受け
３３１    内輪
３３２    外輪
３４      固定架
３５      環状体
３５１    外周縁
３５２    ギア構造
３６      第１の駆動手段
３６１    第１の出力軸
３６２    第１のモーター
３７      第１のギア
４        支持手段
４１      支持本体
４１３    第３の収容スペース
４１４    裏面
４１５    表面
４１６    中央部
４１７    側面部
４２      軸棒
４２１    固定端
４２２    係合端
４２３    係合部
４３      第２の駆動手段
４３１    第２の出力軸
４３２    第２のモーター
４４      第２のギア
４５      第３のギア
４５１    固接部
４５３    第３のギア構造
４６      ハウジング
５        ファンモジュール
５１      第３のモーター
５１１    第３の出力軸
５２      ブレードセット
５３      バックフレーム
５４      フロントフレーム
５５      係合架
６        制御モジュール
６１      制御基板
６２      スリップリング
【図１】
0003224218.tif 000003
【図２】
0003224218.tif 000004
【図３】
0003224218.tif 000005
【図４】
0003224218.tif 000006
【図５】
0003224218.tif 000007
【図６】
0003224218.tif 000008
【図７】
0003224218.tif 000009
【図８】
0003224218.tif 000010
【図９】
0003224218.tif 000011
【図１０】
0003224218.tif 000012
【図１１】
0003224218.tif 000013
【図１２】
0003224218.tif 000014
【図１３】
0003224218.tif 000015
【図１４】
0003224218.tif 000016
【図１５】
0003224218.tif 000017